(57)【要約】【課題】  調理作業に必要な作業者の数を迅速かつ的確に求めることができるようにする。【解決手段】  メニュー毎の食数を示す情報を含むメニュー計画情報と、調理時間情報と、メニューマスター情報とを記憶する外部記憶装置２６を有する調理データ管理サーバ１１において、サーバ本体２１は、外部記憶装置２６に記憶されたメニュー計画情報と、調理時間情報と、メニューマスター情報とをもとに、調理に要する所要時間を求め、求めた所要時間と、予め定められた制限時間とに基づいて、当該調理に必要な調理作業者の数を求める。【選択図】      図１
2006338106.tif 000002
【特許請求の範囲】
【請求項１】
メニュー毎の食数を示す情報を含むメニュー計画情報と、メニュー毎の調理データとを記憶するデータベースと、
前記データベースに記憶されたメニュー計画情報と調理データとから調理の所要時間を求め、求めた所要時間と、予め定められた制限時間とに基づいて、当該調理に必要な調理作業者の数を求める演算装置と、
を備えることを特徴とする調理作業者数管理システム。
【請求項２】
前記データベースに記憶される調理データは、
メニュー毎に、当該メニューを調理するために行うべき調理工程と、１食あたりの食材量とを示す情報を含むメニュー情報と、
単位量の食材を調理する場合の調理工程毎の所要時間を示す調理時間情報とを含んで構成され、
前記演算装置は、前記メニュー情報と前記メニュー計画情報とに基づいて調理する食材量を求め、求めた食材量と前記調理時間情報とをもとに前記調理の所要時間を求めること、
を特徴とする請求項１記載の調理作業者数管理システム。
【請求項３】
前記制限時間は調理の調理段階毎に定められ、
前記演算装置は、前記調理段階毎に前記調理の所要時間を求め、求めた所要時間と前記制限時間とに基づいて、前記調理段階毎に前記調理作業者の数を求めること、
を特徴とする請求項１または２記載の調理作業者数管理システム。
【請求項４】
前記演算装置は、指定された期間に含まれる全ての日毎に、前記調理作業者の数を求めることを特徴とする請求項１から３のいずれかに記載の調理作業者数管理システム。
【請求項５】
前記演算装置により求めた日毎の前記調理作業者の数を示す作業者数データを前記データベースに記憶させることを特徴とする請求項４記載の調理作業者数管理システム。
【請求項６】
前記演算装置は、前記調理作業者を能力別に分類し、異なる分類に属する前記調理作業者を組み合わせた場合の前記調理作業者の数を求めることを特徴とする請求項１から５のいずれかに記載の調理作業者数管理システム。
【請求項７】
メニュー毎の食数を示す情報を含むメニュー計画情報と、メニュー毎の調理データとを記憶するデータベースを有する調理作業者数管理システムの制御方法であって、
前記データベースに記憶されたメニュー計画情報と調理データとから調理の所要時間を求め、求めた所要時間と、予め定められた制限時間とに基づいて、当該調理に必要な調理作業者の数を求め、求めた調理作業者の数を示す作業者数データを前記データベースに記憶させること、
を特徴とする制御方法。
【請求項８】
メニュー毎の食数を示す情報を含むメニュー計画情報と、メニュー毎の調理データとを記憶するデータベースを有する調理作業者数管理システムをコンピュータにより制御する制御プログラムであって、
前記データベースに記憶されたメニュー計画情報と調理データとから調理の所要時間を求め、求めた所要時間と、予め定められた制限時間とに基づいて、当該調理に必要な調理作業者の数を求め、求めた調理作業者の数を示す作業者数データを前記データベースに記憶させること、
を特徴とする制御プログラム。
【発明の詳細な説明】
【技術分野】
【０００１】
本発明は、調理作業者数管理システム、制御方法および制御プログラムに係り、特にレストランやホテル、事業所、学校、病院などの厨房において行われる調理において必要な調理作業者数を算出する調理作業者数管理システム、制御方法および制御プログラムに関する。
【背景技術】
【０００２】
近年、飲食業の発展と共に食材加工プロセスや調理加工方式は目覚ましい発展を遂げ、冷蔵／冷凍機器や調理機器等の厨房機器に関しても、機能の充実、コスト抑制面での検討改善が行われ、飲食業界発展の一翼を担っている。この食材加工と調理技術の発展と共に業務用厨房機器の技術進歩は目覚ましく進化してきた。特に、制御装置により調理操作を行う調理機器に関しては、各調理行為の温度と時間に関する作業行為を記憶させ、或る範囲の調理仕上げを機器に依存させることが可能となっている（例えば、特許文献１参照）。
【特許文献１】特開２００３−７６７５６号公報
【発明の開示】
【発明が解決しようとする課題】
【０００３】
ところで、多くの作業者を必要とする共同厨房やセントラルキッチンにおいては、調理スケジュールを立てるとともに、必要な数の作業者を手配する必要がある。従来は、セントラルキッチンの管理者が、自身の経験をもとに、調理スケジュールに基づいて必要な作業者の手配を行っていた。この場合、人的資源の管理の正否は管理者の個人的な能力に依存しており、業務効率の不安定化を招く要因となっていた。
【０００４】
そこで、本発明の目的は、調理作業に必要な作業者の数を迅速かつ的確に求めることが可能な調理作業者数管理システム、制御方法および制御プログラムを提供することにある。
【課題を解決するための手段】
【０００５】
上記課題を解決するため、本発明の調理作業者数管理システムは、メニュー毎の食数を示す情報を含むメニュー計画情報と、メニュー毎の調理データとを記憶するデータベースと、前記データベースに記憶されたメニュー計画情報と調理データとから調理の所要時間を求め、求めた所要時間と、予め定められた制限時間とに基づいて、当該調理に必要な調理作業者の数を求める演算装置とを備えることを特徴としている。
【０００６】
この場合において、前記データベースに記憶される調理データは、メニュー毎に、当該メニューを調理するために行うべき調理工程と、１食あたりの食材量とを示す情報を含むメニュー情報と、単位量の食材を調理する場合の調理工程毎の所要時間を示す調理時間情報とを含んで構成され、前記演算装置は、前記メニュー情報と前記メニュー計画情報とに基づいて調理する食材量を求め、求めた食材量と前記調理時間情報とをもとに前記調理の所要時間を求めるものとしてもよい。
【０００７】
また、前記制限時間は調理の調理段階毎に定められ、前記演算装置は、前記調理段階毎に前記調理の所要時間を求め、求めた所要時間と前記制限時間とに基づいて、前記調理段階毎に前記調理作業者の数を求めるものとしてもよい。
【０００８】
さらに、前記演算装置は、指定された期間に含まれる全ての日毎に、前記調理作業者の数を求めるものとしてもよい。
【０００９】
さらにまた、前記演算装置により求めた日毎の前記調理作業者の数を示す作業者数データを前記データベースに記憶させる構成としてもよい。
【００１０】
また、前記演算装置は、前記調理作業者を能力別に分類し、異なる分類に属する前記調理作業者を組み合わせた場合の前記調理作業者の数を求めるものとしてもよい。
【００１１】
本発明の制御方法は、メニュー毎の食数を示す情報を含むメニュー計画情報と、メニュー毎の調理データとを記憶するデータベースを有する調理作業者数管理システムの制御方法であって、前記データベースに記憶されたメニュー計画情報と調理データとから調理の所要時間を求め、求めた所要時間と、予め定められた制限時間とに基づいて、当該調理に必要な調理作業者の数を求め、求めた調理作業者の数を示す作業者数データを前記データベースに記憶させることを特徴としている。
【００１２】
本発明の制御プログラムは、メニュー毎の食数を示す情報を含むメニュー計画情報と、メニュー毎の調理データとを記憶するデータベースを有する調理作業者数管理システムをコンピュータにより制御する制御プログラムであって、前記データベースに記憶されたメニュー計画情報と調理データとから調理の所要時間を求め、求めた所要時間と、予め定められた制限時間とに基づいて、当該調理に必要な調理作業者の数を求め、求めた調理作業者の数を示す作業者数データを前記データベースに記憶させることを特徴としている。
【発明の効果】
【００１３】
本発明によれば、調理スケジュールに基づいて、必要な作業者の数を的確かつ迅速に求めることが可能となり、作業者の手配等を速やかに行えるようになる。また、最適な人的資源の管理を確実に行うことが可能となり、業務効率の向上を図ることができる。
【発明を実施するための最良の形態】
【００１４】
次に、本発明の好適な実施の形態について図面を参照して説明する。
図１は、本発明を適用した実施の形態における調理データ管理システムの概要構成ブロック図である。
調理データ管理システム１０（調理作業者数管理システム）は、一般レストランチェーンのセントラルキッチンに用いられるものであり、大別すると、調理データ管理サーバ１１と、調理データ管理サーバ１１に通信ネットワーク１２を介して接続された複数の端末装置１３-1〜１３-nと、を備えている。
【００１５】
調理データ管理サーバ１１は、調理データ管理サーバ１１全体を制御するためのサーバ本体２１（演算装置）を備えている。サーバ本体２１には、オペレータが各種データを入力するための入力デバイスとして機能するキーボード２２およびマウス２３が接続され、それらの操作状態に応じて各種データが入力されることとなる。また、サーバ本体２１には、調理データを含む各種データを表示するためのディスプレイ２４と、調理データを含む各種データをプリントアウトするためのプリンタ２５が接続されている。さらにサーバ本体２１には、ハードディスク装置などの外部記憶装置２６（データベース）が接続されている。
【００１６】
通信ネットワーク１２としては、通常のＬＡＮなどの他、インターネットあるいは専用線接続された外部通信ネットワーク、公衆電話回線（有線、無線）などを含む。
端末装置１３-1〜１３-nとしては、通常のコンピュータの他、ＰＯＳ端末装置、ＰＤＡなどの携帯型端末装置を含む。
この場合において、サーバ本体２１は、コンピュータとして構成されており、図示しないマイクロプロセッサ、各種プログラムを格納したＲＯＭ、各種データを一時的に格納するＲＡＭ、各種インターフェース、ハードディスクなどの外部記憶装置を備えている。
【００１７】
調理データ管理サーバ１１は、キーボード２２及びマウス２３の操作により入力される情報、及び、通信ネットワーク１２を介して接続された端末装置１３-1〜１３-nにより入力される情報に基づいて、上記セントラルキッチンにおける調理に係る各種データ処理を実行する。
具体的には、調理データ管理サーバ１１は、後述する作業時間見積処理（図５）を実行し、上記セントラルキッチンにおいて、予め定められた日毎のメニュー、各メニューに係る調理の量（食材の量や工程の数）、及び、制限時間等の情報に基づいて、例えば翌月１ヶ月間について、各日に必要な調理作業者の数を求めるものである。
【００１８】
サーバ本体２１に接続された外部記憶装置２６には、調理データ管理サーバ１１により処理される各種データが記憶される。
図２には、外部記憶装置２６に記憶されるデータのうち、作業時間見積処理（図５）において処理されるデータとして、メニュー計画情報２６１、調理時間情報２６２、及びメニューマスター情報２６３の構成例を示す。
【００１９】
メニュー計画情報２６１は、日付ごとに、調理されるメニュー、食数、及び提供時刻が対応づけられた情報である。図２に示す例では、４月１０日に「鶏肉塩焼定食」、「スコッチエッグ定食」、「鰈の唐揚げ」、「カレーライス」、「弁当Ａ」の各メニューが調理される予定であり、調理される食数は、順に１５０食、１００食、８０食、２００食、５０食であり、提供時刻は、「弁当Ａ」が１１：００で、その他のメニューは１２：００となっている。
【００２０】
また、調理時間情報２６２は、メニュー毎に、使用する食材の名称、食材に対して行う行為、基準調理量、及び、当該行為において基準調理量を処理するために要する調理所要時間が対応づけられた情報である。
この調理時間情報２６２に含まれる調理所要時間は、標準的な能力を有する調理作業者が、一人で、当該行為において基準調理量を処理するのに要する時間である。従って、未熟な調理作業者が当該行為を行う場合や、複数の調理作業者が当該行為を行う場合の所要時間は、調理時間情報２６２の調理所要時間より長く、或いは短くなるが、この点については後述する。
【００２１】
本実施の形態の調理データ管理システム１０においては、一連の調理工程を、工程の最小単位である「行為」と、複数の行為からなる「区分」に分割して管理する。「行為」とは、調理工程を可能な限り細分化した最小単位であって、具体的には、「解凍する」、「薄切りにする」、「並べる」、「焼く」、「取り出す」、「盛りつける」等を指す。「区分」とは、一連の調理工程を大きく分割したものを指す。具体的な区分としては、「解凍する」、「薄切りにする」等の行為を含む「下処理」の区分、「焼く」、「煮る」等の行為を含む「加熱工程」の区分、「盛りつける」等の行為を含む「配膳」の区分がある。
【００２２】
メニューマスター情報２６３（メニュー情報）は、メニュー毎に、食材使用量および調理工程が対応づけられた情報である。ここで、食材使用量としては、各メニューに使用される全食材について、１食分の使用量を示す情報が含まれる。
また、調理工程とは上述した行為の内容を示す情報であり、行為の対象となる食材、行為の種類、その行為が属する区分、行為の順序、機器使用の有無、加熱条件等の情報が含まれる。
【００２３】
以上のメニュー計画情報２６１、調理時間情報２６２及びメニューマスター情報２６３に含まれる情報は、後述する作業時間見積処理（図５）において演算処理される。この演算処理において、メニュー計画情報２６１のメニュー毎の食数はパラメータｎとして用いられ、調理時間情報２６２の基準調理量はパラメータｃとして、調理所要時間はパラメータｄとして、メニューマスター情報２６３の食材使用量はパラメータｅとして用いられる。
【００２４】
また、図３には、外部記憶装置２６に記憶される制限時間情報２６４の構成例を示す。
制限時間情報２６４は、調理工程における区分毎に制限時間を指定する情報であって、図３に示す例では、下処理の制限時間が９０分、加熱処理の制限時間が６０分、配膳の制限時間が３０分とされている。
【００２５】
制限時間情報２６４の制限時間は、調理データ管理サーバ１１において、ディスプレイ２４に制限時間入力画面３０が表示された状態で、キーボード２２及びマウス２３の操作によって入力される。なお、通信ネットワーク１２を介して調理データ管理サーバ１１に接続された端末装置１３-1〜１３-nにおいて、その表示画面上に制限時間入力画面３０が表示された状態で入力を行うことも可能である。
【００２６】
図４は、制限時間入力画面３０の構成例を示す図である。
制限時間入力画面３０には、下処理、加熱処理等の各区分を入力するための入力ボックス３１と、入力ボックス３１の区分に対応づけて制限時間を入力するための入力ボックス３２とが配置される。
また、制限時間入力画面３０には、入力された区分毎の制限時間をプリンタ２５（図１）により印刷させる印刷指示ボタン３３、入力された区分毎の制限時間を確定して外部記憶装置２６に記憶させる登録指示ボタン３４、及び、入力された区分毎の制限時間を取り消す取消指示ボタン３５等が配置される。
【００２７】
以下、図５のフローチャートを参照して、作業時間見積処理について説明する。
図５に示すフローチャートのステップＳ１において、サーバ本体２１は、作業時間見積処理の対象となる期間のうち、最初の日を処理対象として設定する。例えば、４月１日から４月３０日までの１ヶ月間について作業時間見積処理を行う場合、ステップＳ１では、４月１日が処理対象として設定される。
【００２８】
続いて、ステップＳ２において、サーバ本体２１は、外部記憶装置２６に記憶されたメニュー計画情報２６１（図２）を参照し、ステップＳ１で設定した日に調理される予定のメニュー及び食数を読み取る。
そして、サーバ本体２１はステップＳ３に移行して、ステップＳ２で読み取ったメニュー毎に、外部記憶装置２６に記憶されたメニューマスター情報２６３（図２）から、食材使用量及び調理工程を読み取る。
【００２９】
続くステップＳ４において、サーバ本体２１は、調理する食材の量の合計を求める演算処理を行う。この演算処理では、外部記憶装置２６に記憶されたメニュー計画情報２６１の食数をｎとし、メニューマスター情報２６３の食材使用量をｅとして、下記式（１）に示すように、食数と１食分の食材使用量とが乗算される。
ｎ（食数）×ｅ（１食分の食材使用量）＝Ｎ（総食材量）…（１）
【００３０】
さらに、サーバ本体２１は、ステップＳ５に移行して、ステップＳ４で求めた総食材量Ｎをもとに、調理に要する総時間を求める演算処理を行う。この演算処理では、調理時間情報２６２（図２）の基準調理量をｃとし、調理所要時間をｄとして、下記式（２）に示すように、総食材量Ｎを調理するのに要する総時間が算出される。
Ｎ（総食材量）／ｃ（基準調理量）×ｄ（調理所要時間）＝Ｔ（総時間）…（２）
【００３１】
そして、サーバ本体２１はステップＳ６に移行し、ステップＳ４〜Ｓ５の演算処理を、処理対象の日における全てのメニューについて、使用される全ての食材、全ての行為について実行した上、求めた総時間Ｔを合計して、総所要時間Ｔｓを算出する。
【００３２】
次に、サーバ本体２１はステップＳ７に移行して、区分毎の所要時間を算出する。この区分毎の所要時間は、例えば、ステップＳ４〜Ｓ５の演算処理で求められる各行為の総時間Ｔを、メニューマスター情報２６３の調理工程に含まれる情報に基づいて区分毎に合計することで、求められる。
【００３３】
サーバ本体２１は、ステップＳ８に移行して、区分毎に必要な調理作業者の数を算出する。この調理作業者の数の算出は、ステップＳ７で求めた区分毎の所要時間を、制限時間情報２６４（図３）に定められた区分毎の制限時間で除算することで行われる。
【００３４】
そして、サーバ本体２１はステップＳ９に移行して、ステップＳ８で求めた区分毎に必要な調理作業者の数をもとに、主数点以下の値を切り上げる等の処理を行って、区分毎に必要な調理作業者数を決定する。
さらに、ステップＳ９では、調理作業者の能力・職種を適宜組み合わせて、必要な調理作業者の数を求めることも可能である。
上述したように、調理時間情報２６２に含まれる調理所要時間は、標準的な能力を有する調理作業者が、一人で、当該行為において基準調理量を処理するのに要する時間である。従って、現実の所要時間は、調理作業者の能力によって変動する。
そこで、調理データ管理システム１０においては、予め、調理作業者を職種毎または能力毎に分類し、各分類の調理作業者の能力を数値化しておき、各分類の調理作業者を組み合わせて必要な調理作業者数を求めることができるようになっている。
【００３５】
具体的な例を挙げると、調理業務に従事する調理作業者を、標準的な能力を有する標準作業者（例えば一般社員）と、未熟な補助作業者（例えばアルバイト社員）と、標準より高い能力を有する監督作業者（例えば熟練社員）とに分類する。その上で、各分類の能力を点数化し、標準作業者は１点、補助作業者は０．５点、監督作業者は２点とする。そして、点数と人数を乗じた値に基づいて、必要な調理作業者数を算出する。
一例として、５人の標準作業者が必要な調理工程の区分（５点）は、４人の補助作業者（２点）と、３人の標準作業者（３点）とで行うことも可能であり、２人の補助作業者（１点）と２人の標準作業者（２点）と１人の監督作業者（２点）で行うことも可能である。
このように、サーバ本体２１は、異なる能力・職種の調理作業者を組み合わせて、区分毎に必要な調理作業者の数を求めることが可能である。
【００３６】
サーバ本体２１は、ステップＳ１０に移行して、ステップＳ６で求めた総所要時間Ｔｓと、ステップＳ９で決定した調理作業者数とに基づいて、区分毎の所要時間Ｔｒを算出する。この所要時間Ｔｒは、実際の所要時間を高い確度で予測したものである。
このステップＳ１０では、所用時間Ｔｒが、各区分の制限時間を超えていないかどうかを確認する処理を行ってもよい。
【００３７】
その後、サーバ本体２１はステップＳ１１に移行して、処理対象日を次の日に設定し、ステップＳ２の処理を行う。
【００３８】
サーバ本体２１は、上記のステップＳ１〜Ｓ１１の処理を、処理対象の範囲（例えば１ヶ月）の全ての日について実行することにより、処理対象の範囲の日毎に必要な調理作業者の数を求め、処理結果を外部記憶装置２６に記憶する。
【００３９】
図６は、図５に示す作業時間見積処理により出力される出力リスト２６５の構成例を示す図である。出力リスト２６５には、作業時間見積処理によって決定された必要な調理作業者の数と所用時間Ｔｒとが、対象範囲の日毎、及び、調理工程の区分毎に定められている。
例えば、４月１日については、下処理の区分において、２人の調理作業者と８０分の時間を要する。また、同日の加熱処理の区分では３人の調理作業者を要し、配膳の区分では３人の調理作業者を要する。
【００４０】
従って、調理データ管理システム１０が設置されたセントラルキッチンの管理者は、出力リスト２６５をもとに、人員配置や人材の確保を行えばよく、人的資源を極めて効率よく管理することができる。
【００４１】
以上説明したように、本実施の形態によれば、メニューに基づいて必要な調理作業者数を容易に決定できるので、人員配置の効率化を図ることができ、実際の調理計画に有効に利用することが可能となる。そして、調理スケジュールに基づいて速やかに作業者の手配を行うことができるので、確実に最適な人的資源の管理を行うことが可能となり、業務効率の向上を図ることができる。
【００４２】
また、作業時間見積処理の対象となった期間については、その期間に含まれる日毎に、調理作業者の数を示す出力リスト２６５が作成され、外部記憶装置２６に記憶されるので、調理スケジュールをもとに、調理作業者の従事スケジュールが速やかに作成される。この出力リスト２６５は、調理作業者の労務管理を行う上で極めて有用であり、業務効率の一層の向上が期待できる。
さらに、能力的に異なる調理作業者を組み合わせた場合に必要とされる調理作業者の数を求めることも可能であり、この場合には、人的資源を極めて有効に活用できることから、業務効率のさらなる改善が期待できる。
【００４３】
なお、以上の説明は、一般レストランチェーンのセントラルキッチンに本発明を適用したが、本発明はこれに限定されるものではなく、提供メニューが予め決定される病院や学校、事業所の給食用キッチンに適用することも可能である。
【図面の簡単な説明】
【００４４】
【図１】本発明の実施の形態に係る調理データ管理システムの概略的構成を示すブロック図である。
【図２】外部記憶装置に記憶されるメニュー計画情報、調理時間情報、及びメニューマスター情報の構成例を模式的に示す図である。
【図３】外部記憶装置に記憶される制限時間情報の構成例を模式的に示す図である。
【図４】ディスプレイに表示される制限時間入力画面の構成例を示す図である。
【図５】調理データ管理システムにより実行される作業時間見積処理を示すフローチャートである。
【図６】作業時間見積処理により出力される出力リストの構成を模式的に示す図である。
【符号の説明】
【００４５】
１０  調理データ管理システム（調理作業者数管理システム）
１１  調理データ管理サーバ
１２  通信ネットワーク
１３-1〜n  端末装置
２１  サーバ本体（演算装置）
２６  外部記憶装置（データベース）
２６１  メニュー計画情報
２６２  調理時間情報
２６３  メニューマスター情報（メニュー情報）
【図１】
2006338106.tif 000003
【図２】
2006338106.tif 000004
【図３】
2006338106.tif 000005
【図４】
2006338106.tif 000006
【図５】
2006338106.tif 000007
【図６】
2006338106.tif 000008